【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
像担持体である感光ドラムと、最終出力画像が記録される記録材を担持する記録材担持体と、前記記録材に前記感光ドラム上のトナー画像を転写する転写手段と、互いに異なった値の少なくとも２つの信号を発生する信号発生手段と、該信号発生手段からの少なくとも２つの信号を選択的に切換えて順次出力する選択手段と、該選択手段の出力に応答して前記転写手段に供給する転写電流を出力する出力手段とを備えたことを特徴とする電子写真方式の画像形成装置における転写電流制御装置。
【請求項２】
請求項１において、
前記信号発生手段は、互いに異なった値のデジタルデータをパルス幅変調信号に変換する少なくとも２つのパルス幅変調回路と、該少なくとも２つのパルス幅変調回路の出力信号をアナログ信号に変換する少なくとも２つの変換手段とを有することを特徴とする電子写真方式の画像形成装置における転写電流制御装置。
【請求項３】
請求項２において、
前記変換手段は、ローパスフィルタであることを特徴とする電子写真方式の画像形成装置における転写電流制御装置。
【請求項４】
請求項２または３において、
前記信号発生手段は、アナログ信号を直接的に発生する少なくとも１つのアナログ信号発生手段をさらに有することを特徴とする電子写真方式の画像形成装置における転写電流制御装置。
【請求項５】
請求項２〜４のいずれかにおいて、
画像形成の各過程に応じて、前記デジタルデータの少なくとも１つを変更することを特徴とする電子写真方式の画像形成装置における転写電流制御装置。
【請求項６】
請求項１〜４のいずれかにおいて、
画像形成の各過程に応じて、前記選択手段の選択の切換えタイミングを変更することを特徴とする電子写真方式の画像形成装置における転写電流制御装置。
【請求項７】
請求項２〜４のいずれかにおいて、
前記画像形成装置の周辺の環境を電気量に変換する環境センサをさらに備え、前記環境センサからの信号に応じて、前記デジタルデータの少なくとも１つを変更することを特徴とする電子写真方式の画像形成装置における転写電流制御装置。
【請求項８】
請求項１〜４のいずれかにおいて、
前記画像形成装置の周辺の環境を電気量に変換する環境センサをさらに備え、前記環境センサからの信号に応じて、前記選択手段の選択の切換えタイミングを変更することを特徴とする電子写真方式の画像形成装置における転写電流制御装置。
【請求項９】
請求項１〜８のいずれかの転写電流制御装置を使用し、前記記録材担持体上の記録材の先端余白に前記転写電流を供給するタイミングにおいて、前記選択手段によって、前記信号発生手段からの少なくとも２つの信号を選択的に切換えて順次出力することを特徴とする電子写真方式の画像形成装置における転写電流制御方法。
【請求項１０】
像担持体である感光ドラムと、最終出力画像が記録される記録材を担持する記録材担持体と、前記記録材に前記感光ドラム上のトナー画像を転写する転写手段と、前記転写手段の転写電流を発生させる為に少なくとも２つの第１信号及び第１信号より小さい第２信号を有する信号発生手段と、前記記録材担持体に担持される記録材の先端余白箇所へ前記転写電流を供給立上げする時に、前記信号発生手段から第１信号、第２信号と順次発生させて前記転写電流を制御する制御手段とを備えたことを特徴とする電子写真方式の画像形成装置における転写電流制御装置。
【請求項１１】
請求項１０において、前記第２信号は前記記録材の先端余白箇所以降の画像領域に適合した前記転写電流であることを特徴とする電子写真方式の画像形成装置における転写電流制御装置。
【手続補正２】
【補正対象書類名】明細書
【補正対象項目名】００２４
【補正方法】変更
【補正の内容】
【００２４】
【課題を解決するための手段】
上記目的を達成するため、請求項１にかかる発明は、像担持体である感光ドラムと、最終出力画像が記録される記録材を担持する記録材担持体と、前記記録材に前記感光ドラム上のトナー画像を転写する転写手段と、互いに異なった値の少なくとも２つの信号を発生する信号発生手段と、該信号発生手段からの少なくとも２つの信号を選択的に切換えて順次出力する選択手段と、該選択手段の出力に応答して前記転写手段に供給する転写電流を出力する出力手段とを備えたことを特徴とする。
【手続補正３】
【補正対象書類名】明細書
【補正対象項目名】００２５
【補正方法】変更
【補正の内容】
【００２５】
請求項２にかかる発明は、請求項１において、前記信号発生手段は、互いに異なった値のデジタルデータをパルス幅変調信号に変換する少なくとも２つのパルス幅変調回路と、該少なくとも２つのパルス幅変調回路の出力信号をアナログ信号に変換する少なくとも２つの変換手段とを有することを特徴とする。
【手続補正４】
【補正対象書類名】明細書
【補正対象項目名】００２６
【補正方法】変更
【補正の内容】
【００２６】
請求項３にかかる発明は、請求項２において、前記変換手段は、ローパスフィルタであることを特徴とする。
【手続補正５】
【補正対象書類名】明細書
【補正対象項目名】００２７
【補正方法】変更
【補正の内容】
【００２７】
請求項４にかかる発明は、請求項２または３において、前記信号発生手段は、アナログ信号を直接的に発生する少なくとも１つのアナログ信号発生手段をさらに有することを特徴とする。
【手続補正６】
【補正対象書類名】明細書
【補正対象項目名】００２８
【補正方法】変更
【補正の内容】
【００２８】
請求項５にかかる発明は、請求項２〜４のいずれかにおいて、画像形成の各過程に応じて、前記デジタルデータの少なくとも１つを変更することを特徴とする。
【手続補正７】
【補正対象書類名】明細書
【補正対象項目名】００２９
【補正方法】変更
【補正の内容】
【００２９】
請求項６にかかる発明は、請求項１〜４のいずれかにおいて、画像形成の各過程に応じて、前記選択手段の選択の切換えタイミングを変更することを特徴とする。
【手続補正８】
【補正対象書類名】明細書
【補正対象項目名】００３０
【補正方法】変更
【補正の内容】
【００３０】
請求項７にかかる発明は、請求項２〜４のいずれかにおいて、前記画像形成装置の周辺の環境を電気量に変換する環境センサをさらに備え、前記環境センサからの信号に応じて、前記デジタルデータの少なくとも１つを変更することを特徴とする。
【手続補正９】
【補正対象書類名】明細書
【補正対象項目名】００３１
【補正方法】変更
【補正の内容】
【００３１】
請求項８にかかる発明は、請求項１〜４のいずれかにおいて、前記画像形成装置の周辺の環境を電気量に変換する環境センサをさらに備え、前記環境センサからの信号に応じて、前記選択手段の選択の切換えタイミングを変更することを特徴とする。
【手続補正１０】
【補正対象書類名】明細書
【補正対象項目名】００３２
【補正方法】変更
【補正の内容】
【００３２】
請求項９にかかる発明は、請求項１〜８のいずれかの転写電流制御装置を使用し、前記記録材担持体上の記録材の先端余白に前記転写電流を供給するタイミングにおいて、前記選択手段によって、前記信号発生手段からの少なくとも２つの信号を選択的に切換えて順次出力することを特徴とする。
【手続補正１１】
【補正対象書類名】明細書
【補正対象項目名】００３３
【補正方法】変更
【補正の内容】
【００３３】
請求項１０にかかる発明は、像担持体である感光ドラムと、最終出力画像が記録される記録材を担持する記録材担持体と、前記記録材に前記感光ドラム上のトナー画像を転写する転写手段と、前記転写手段の転写電流を発生させる為に少なくとも２つの第１信号及び第１信号より小さい第２信号を有する信号発生手段と、前記記録材担持体に担持される記録材の先端余白箇所へ前記転写電流を供給立上げする時に、前記信号発生手段から第１信号、第２信号と順次発生させて前記転写電流を制御する制御手段とを備えたことを特徴とする。
【手続補正１２】
【補正対象書類名】明細書
【補正対象項目名】００３４
【補正方法】変更
【補正の内容】
【００３４】
請求項１１にかかる発明は、請求項１０において、前記第２信号は前記記録材の先端余白箇所以降の画像領域に適合した前記転写電流であることを特徴とする。